【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
外部デバイスに電力を供給するとともに該外部デバイスに対して着脱自在な発電システムであって、
発電用燃料が封入された燃料封入部と、
該燃料封入部から供給される前記発電用燃料を用いて前記電力を発生する発電モジュールと、
前記燃料封入部に封入された発電用燃料を前記発電モジュールに供給する燃料送出経路を有するインターフェース部と、
を備え、
前記燃料封入部及び前記発電モジュールは、互いに着脱可能に構成されていて、
前記燃料封入部は、前記燃料封入部が前記発電モジュールに結合されていないときに前記燃料封入部に封入された前記発電用燃料が前記燃料封入部から漏出しないように、前記燃料封入部の燃料送出経路を常時閉止する方向に制御する燃料漏出防止手段を有し、
前記発電モジュール又は前記インターフェース部は、前記燃料漏出防止手段による漏出防止機能を解除する漏出防止解除手段を有し、
前記燃料封入部が前記発電モジュールに結合されているときに、前記燃料漏出防止手段が前記漏出防止解除手段によって接触又は押圧されて前記燃料漏出防止手段の閉止状態が解除されることによって、前記燃料封入部に封入された前記発電用燃料が前記発電モジュールに供給されることを特徴とする電源システム。
【請求項２】
前記燃料封入部が前記発電モジュールに結合された後に前記燃料封入部が前記発電モジュールから分離されたときに、前記燃料漏出防止手段の漏出防止機能が再び作動することにより、前記燃料封入部からの前記発電用燃料の漏出が防止されることを特徴とする請求項１に記載の電源システム。
【請求項３】
前記発電モジュール及び前記インターフェース部を含み、前記燃料封入部が収納されるホルダー部を備えることを特徴とする請求項１又は２に記載の電源システム。
【請求項４】
前記燃料封入部の一端側に設けられた前記燃料送出口を前記インターフェース部の燃料送出経路に当接させて支点とし、前記燃料封入部の他端側を旋回させて押し込むことにより、前記燃料封入部の他端部が前記ホルダー部に当接して、前記燃料封入部が前記ホルダー部に収納されるとともに、前記燃料封入部の漏出防止機能が解除されて、前記燃料封入部に封入された前記発電用燃料が、前記発電モジュールに供給されることを特徴とする請求項３に記載の電源システム。
【請求項５】
前記ホルダー部は、収納された前記燃料封入部を固定する開閉カバーを有し、
前記燃料封入部を前記燃料封入部の燃料送出口が設けられた一端部側から前記ホルダー部に挿入した後、前記開閉カバーを閉じて前記燃料封入部が前記ホルダー部に収納し、前記開閉カバーが前記燃料封入部の他端部を押圧して、前記燃料封入部の燃料送出口が前記インターフェース部の燃料送出口に当接されることによって、前記燃料封入部の漏出防止機能が解除されて、前記燃料封入部に封入された前記発電用燃料が、前記発電モジュールに供給されることを特徴とする請求項３に記載の電源システム。
【請求項６】
前記ホルダー部は、前記燃料封入部が前記ホルダー部に収納されている状態において前記燃料封入部の他端部に当接するように設けられた、弾性を有する凸部を有することを特徴とする請求項４又は５に記載の電源システム。
【請求項７】
前記発電モジュールは、前記燃料封入部が結合されることにより、前記電力を自立的に発生するように構成されていることを特徴とする請求項６記載の電源システム。
【請求項８】
前記発電モジュールは、前記燃料封入部から供給される前記発電用燃料を用いた電気化学反応により、前記電力を発生する燃料電池を備えていることを特徴とする請求項１〜７のいずれか一項に記載の電源システム。
【請求項９】
前記発電用燃料は、少なくとも、水素を主成分として含む、又は、水素からなる液体燃料、液化燃料、及び気体燃料のいずれかであることを特徴とする請求項１〜８のいずれか一項に記載の電源システム。
【請求項１０】
発電した電力を外部デバイスに供給するとともに該外部デバイスに対して装着自在である発電モジュールであり、該燃料封入部から供給される前記発電用燃料を用いて前記電力を発生する発電モジュールと前記燃料封入部に封入された発電用燃料を前記発電モジュールに供給する燃料送出経路を有するインターフェース部とを有する前記発電モジュールに、発電用燃料を供給するための燃料封入部であって、
前記発電モジュールと着脱可能であり、
前記燃料封入部が前記発電モジュールに結合されていないときに前記燃料封入部に封入された前記発電用燃料が前記燃料封入部から漏出しないように、前記燃料封入部の燃料送出経路を常時閉止する方向に制御する燃料漏出防止手段を有し、
前記燃料封入部が前記発電モジュールに結合されているときに、前記燃料漏出防止手段が、前記発電モジュール又は前記インターフェース部に設けられ且つ前記燃料漏出防止手段による漏出防止機能を解除する漏出防止解除手段によって接触又は押圧されて、前記燃料漏出防止手段の閉止状態が解除されることによって、前記燃料封入部に封入された前記発電用燃料を前記発電モジュールに供給することを特徴とする燃料封入部。
【手続補正２】
【補正対象書類名】明細書
【補正対象項目名】発明の名称
【補正方法】変更
【補正の内容】
【発明の名称】燃料封入部及び電源システム
【手続補正３】
【補正対象書類名】明細書
【補正対象項目名】０００１
【補正方法】変更
【補正の内容】
【０００１】
本発明は、燃料封入部及び電源システムに関する。
【手続補正４】
【補正対象書類名】明細書
【補正対象項目名】００１０
【補正方法】変更
【補正の内容】
【００１０】
本発明に係る電源システムは、発電用燃料が封入された燃料封入部と、該燃料封入部から供給される発電用燃料を用いて電力を発生する発電モジュールと、前記燃料封入部に封入された発電用燃料を前記発電モジュールに供給する燃料送出経路を有するインターフェース部と、を備え、発電モジュール及び燃料封入部が、互いに着脱可能に構成されていて、前記燃料封入部は、前記燃料封入部が前記発電モジュールに結合されていないときに前記燃料封入部に封入された前記発電用燃料が前記燃料封入部から漏出しないように、前記燃料封入部の燃料送出経路を常時閉止する方向に制御する燃料漏出防止手段を有し、前記発電モジュール又は前記インターフェース部は、前記燃料漏出防止手段による漏出防止機能を解除する漏出防止解除手段を有し、前記燃料封入部が前記発電モジュールに結合されているときに、前記燃料漏出防止手段が前記漏出防止解除手段によって接触又は押圧されて前記燃料漏出防止手段の閉止状態が解除されることによって、前記燃料封入部に封入された前記発電用燃料が前記発電モジュールに供給されることを特徴としている。
好ましくは、前記燃料封入部が前記発電モジュールに結合された後に前記燃料封入部が前記発電モジュールから分離されたときに、前記燃料漏出防止手段の漏出防止機能が再び作動することにより、前記燃料封入部からの前記発電用燃料の漏出が防止される。
好ましくは、前記発電モジュール及び前記インターフェース部を含み、前記燃料封入部が収納されるホルダー部を備える。
好ましくは、前記燃料封入部の一端側に設けられた前記燃料送出口を前記インターフェース部の燃料送出経路に当接させて支点とし、前記燃料封入部の他端側を旋回させて押し込むことにより、前記燃料封入部の他端部が前記ホルダー部に当接して、前記燃料封入部が前記ホルダー部に収納されるとともに、前記燃料封入部の漏出防止機能が解除されて、前記燃料封入部に封入された前記発電用燃料が、前記発電モジュールに供給される。
好ましくは、前記ホルダー部は、収納された前記燃料封入部を固定する開閉カバーを有し、前記燃料封入部を前記燃料封入部の燃料送出口が設けられた一端部側から前記ホルダー部に挿入した後、前記開閉カバーを閉じて前記燃料封入部が前記ホルダー部に収納し、前記開閉カバーが前記燃料封入部の他端部を押圧して、前記燃料封入部の燃料送出口が前記インターフェース部の燃料送出口に当接されることによって、前記燃料封入部の漏出防止機能が解除されて、前記燃料封入部に封入された前記発電用燃料が、前記発電モジュールに供給される。
好ましくは、前記ホルダー部は、前記燃料封入部が前記ホルダー部に収納されている状態において前記燃料封入部の他端部に当接するように設けられた、弾性を有する凸部を有する。
好ましくは、前記発電モジュールは、前記燃料封入部が結合されることにより、前記電力を自立的に発生するように構成されている。
好ましくは、前記発電モジュールは、前記燃料封入部から供給される前記発電用燃料を用いた電気化学反応により、前記電力を発生する燃料電池を備えている。
好ましくは、前記発電用燃料は、少なくとも、水素を主成分として含む、又は、水素からなる液体燃料、液化燃料、及び気体燃料のいずれかである。
【手続補正５】
【補正対象書類名】明細書
【補正対象項目名】００１１
【補正方法】変更
【補正の内容】
【００１１】
そして、本発明に係る燃料封入部は、発電した電力を外部デバイスに供給するとともに該外部デバイスに対して装着自在である発電モジュールであり、該燃料封入部から供給される前記発電用燃料を用いて前記電力を発生する発電モジュールと前記燃料封入部に封入された発電用燃料を前記発電モジュールに供給する燃料送出経路を有するインターフェース部とを有する前記発電モジュールに、発電用燃料を供給するための燃料封入部であって、前記発電モジュールと着脱可能であり、前記燃料封入部が前記発電モジュールに結合されていないときに前記燃料封入部に封入された前記発電用燃料が前記燃料封入部から漏出しないように、前記燃料封入部の燃料送出経路を常時閉止する方向に制御する燃料漏出防止手段を有し、前記燃料封入部が前記発電モジュールに結合されているときに、前記燃料漏出防止手段が、前記発電モジュール又は前記インターフェース部に設けられ且つ前記燃料漏出防止手段による漏出防止機能を解除する漏出防止解除手段によって接触又は押圧されて、前記燃料漏出防止手段の閉止状態が解除されることによって、前記燃料封入部に封入された前記発電用燃料を前記発電モジュールに供給することを特徴としている。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】変更
【補正の内容】
【００２７】
本発明によれば、燃料封入部（燃料パック）に充填、封入された液体又は気体からなる発電用燃料、又は、該発電用燃料から供給される特定の成分（例えば、水素）を用いて発電を行う発電モジュール（発電器）を備えたポータブル型の電源システムにおいて、燃料封入部が、発電モジュールに対して結合、離脱可能な構成を有し、さらに、燃料封入部及び発電モジュールからなる電源システム全体が、発電モジュールから供給される電力により駆動する負荷（デバイス）に対して任意に接続、分離可能な構成、もしくは、発電モジュールと負荷が一体的に構成され、燃料封入部のみが、負荷（発電モジュール）に対して結合、離脱可能な構成を有している。
【手続補正２２】
【補正対象書類名】明細書
【補正対象項目名】００２９
【補正方法】変更
【補正の内容】
【００２９】
ここで、燃料封入部は、自然環境下や人為的な処理により、自然界の土壌を構成する１又は複数の単体や物質に変換される材質、例えば、微生物や酵素等による生分解性や光による光分解性、水分による加水分解性等の分解性を備えた材料により構成されていてもよく、この場合、発電用燃料を使い切ることにより廃棄物となる燃料封入部が、土壌中の微生物や酵素、太陽光線等により、例えば、水と二酸化炭素等に分解され、もしくは、人為的な薬品処理や焼却処理等により自然界に無害な物質に変換される。したがって、燃料封入部を仮に自然界の土壌に投棄又は埋め立て処理した場合や焼却炉により消却した場合であっても、自然界に有害な物質を排出することなく、また、長期にわたって、自然環境の美観を損ねることもないので、環境への負担を大幅に軽減することができる電源システムを提供することができる。